(57)【要約】【課題】ランドセルとして利用できると共に、キャリーバッグとしても利用できるランドセル兼用キャリーバッグを提供する。【解決手段】肩ベルト２，２を備えたランドセル本体３と、ランドセル本体３下部に設けた車輪４，４と、ランドセル本体３の上部に引き出し自在に配設した把手部材５と、肩ベルト２，２又は車輪４，４を被覆自在の可撓性のカバー体６とを備え、肩ベルト２，２をカバー体６で被覆した時、キャリーバッグとして利用し、車輪４，４をカバー体６で被覆した時、ランドセルとして利用するように構成したランドセル兼用キャリーバッグ１を提供する。【選択図】図２
2007202840.tif 000002
【特許請求の範囲】
【請求項１】
肩ベルトを備えたランドセル本体と、前記ランドセル本体下部に設けた車輪と、前記ランドセル本体の上部に引き出し自在に配設した把手部材と、前記肩ベルト又は前記車輪を被覆自在の可撓性のカバー体とを備え、前記肩ベルトを前記カバー体で被覆した時、キャリーバッグとして利用し、前記車輪を前記カバー体で被覆した時、ランドセルとして利用するように構成したことを特徴とするランドセル兼用キャリーバッグ。
【請求項２】
前記カバー体の下部が前記ランドセル本体の下部に取り付けられ、前記カバー体の上部の表裏両面に面ファスナーが設けられ、一方、前記ランドセル本体の前記肩ベルトが取付けられる背部の上部、及び、底部に前記面ファスナーと係着自在の面ファスナーが配設されていることを特徴とする請求項１記載のランドセル兼用キャリーバッグ。
【発明の詳細な説明】
【技術分野】
【０００１】
本発明は、ランドセルとして利用できると共に、キャリーバッグとしても利用できるランドセル兼用キャリーバッグに関する。
【背景技術】
【０００２】
ランドセルは、ものを容易に且つ確実に携帯できると共に、両手が自由になる、或いは、背中を伸ばした姿勢で携帯することができる等、種々の利点があり、特に、学童に広く用いられている。
一方、キャリーバッグは、比較的重いものを持ち上げることなく容易に運搬できる等の利点があり、一般に広く利用されている。
特許文献１にはキャリーバッグの一例が記載されている。
【特許文献１】特開平１１−３４６８１５号公報
【発明の開示】
【発明が解決しようとする課題】
【０００３】
前述したように、ランドセル、キャリーバッグは夫々利点があり、広く利用されているが、ランドセルとキャリーバッグの両方の利点を備えたものがあれば、更に利便性が高まることになる。現在、ランドセルとキャリーバッグの両方の利点を備えたものは知られていない。
【０００４】
以上の現状に鑑み、本発明は、ランドセルとして利用できると共に、キャリーバッグとしても利用できるランドセル兼用キャリーバッグを提供することを目的とする。
【課題を解決するための手段】
【０００５】
上記の課題を解決すべく、本発明は以下の構成を提供する。
請求項１に係る発明は、肩ベルトを備えたランドセル本体と、前記ランドセル本体下部に設けた車輪と、前記ランドセル本体の上部に引き出し自在に配設した把手部材と、前記肩ベルト又は前記車輪を被覆自在の可撓性のカバー体とを備え、前記肩ベルトを前記カバー体で被覆した時、キャリーバッグとして利用し、前記車輪を前記カバー体で被覆した時、ランドセルとして利用するように構成したことを特徴とするランドセル兼用キャリーバッグを提供するものである。
【０００６】
請求項２に係る発明は、前記カバー体の下部が前記ランドセル本体の下部に取り付けられ、前記カバー体の上部の表裏両面に面ファスナーが設けられ、一方、前記ランドセル本体の前記肩ベルトが取付けられる背部の上部、及び、底部に前記面ファスナーと係着自在の面ファスナーが配設されていることを特徴とする請求項１記載のランドセル兼用キャリーバッグを提供するものである。
【発明の効果】
【０００７】
本発明の請求項１記載の発明によれば、肩ベルトを備えたランドセル本体と、前記ランドセル本体下部に設けた車輪と、前記ランドセル本体の上部に引き出し自在に配設した把手部材と、前記肩ベルト又は前記車輪を被覆自在の可撓性のカバー体とを備え、前記肩ベルトを前記カバー体で被覆した時、キャリーバッグとして利用し、前記車輪を前記カバー体で被覆した時、ランドセルとして利用するように構成したランドセル兼用キャリーバッグを提供するので、ランドセルとして利用できると共に、キャリーバッグとしても利用できる簡素な構成のランドセル兼用キャリーバッグを得ることができる。
【０００８】
請求項２記載の発明によれば、前記カバー体の下部が前記ランドセル本体の下部に取り付けられ、前記カバー体の上部の表裏両面に面ファスナーが設けられ、一方、前記ランドセル本体の前記肩ベルトが取付けられる背部の上部、及び、底部に前記面ファスナーと係着自在の面ファスナーが配設されているので、請求項１記載の発明の効果に加え、面ファスナーによってカバー体の係着及び取り外しが容易であり、それによって、前記車輪又は前記肩ベルトの被覆が容易となり、ランドセル又はキャリーバッグの利用が容易である。
【発明を実施するための最良の形態】
【０００９】
以下、実施例を示した図面を参照しつつ本発明の実施の形態を説明する。
図１及び２に於いて、１は本発明のランドセル兼用キャリーバッグであり、ランドセル兼用キャリーバッグ１は、肩ベルト２，２を備えたランドセル本体３と、ランドセル本体３下部に設けた車輪４，４と、ランドセル本体３の上部に引き出し自在に配設され、且つ、把手５ａと、両脚部５ｂ，５ｂから成る略コ字状の把手部材５と、前記肩ベルト２又は前記車輪４，４を被覆自在の可撓性のカバー体６とを備え、前記肩ベルト２を前記カバー体６で被覆した時、キャリーバッグとして利用し、前記車輪４，４を前記カバー体６で被覆した時、ランドセルとして利用するように構成したものである。
【００１０】
そして、前記カバー体６は、ランドセル本体３の背部７の下部から上部を覆うことができる略矩形状のシートで形成され、カバー体６の下部６ｂは、車輪４，４に干渉しないように車輪４，４の内側部の離間寸法よりも狭い巾に形成されてランドセル本体３の下部に取り付けられ、カバー体６の上部６ａの横巾は、前記車輪４，４を覆うことができるように、車輪４，４の外側部の離間寸法よりも広い巾に形成されている。
【００１１】
又、カバー体６の上部６ａの表裏両面に面ファスナー８，８…、９，９…が設けられ、一方、前記ランドセル本体３の底部１０と、肩ベルト２，２が取付けられる背部７の上部にも前記面ファスナー８，８…、９，９…と係着自在の面ファスナー１１，１１…、１２，１２…が夫々配設されている。
【００１２】
尚、前記カバー体６は、可撓性の樹脂シート、布、皮革等によって形成されるが、特に、耐久性、外観、肌触り、コスト等の点から、人造皮革が好適である。
【００１３】
而して、図２に従って、前記ランドセル兼用キャリーバッグ１の作用を説明すると、先ず、図２（ａ）に示すようにキャリーバッグとして用いる場合は、ランドセル本体３の上部から把手部材５を上方に引き出して、最上位位置でロックし（図示しないロック手段によりロックされる）、カバー体６の上部６ａによって、ランドセル本体３の肩ベルト２，２を被覆して収納し、カバー体６の裏面に設けられた面ファスナー９，９…と、ランドセル本体３の背部７に設けられた面ファスナー１２，１２…とを係着させることにより、カバー体６の上部６ａを背部７の上部に保持させる。
【００１４】
この状態で、前記ランドセル兼用キャリーバッグ１はキャリーバッグとして利用できる。即ち、ランドセル兼用キャリーバッグ１の車輪４，４を床面或いは地面に接触させた状態で、前記把手部材５の把手５ａを引けば、車輪４，４が回転してランドセル兼用キャリーバッグ１は把手５ａを引いた方向に移動する。
【００１５】
次に、前記ランドセル兼用キャリーバッグ１をランドセルとして利用する場合は、前記把手部材５を矢印Ａの如く押して、ランドセル本体３内に収納し、同図（ｂ）に示す如く、前記カバー体６の面ファスナー９，９…とランドセル本体３の背部７の面ファスナー１２，１２…との係着を外してカバー体６上部６ａを前記車輪４，４の上方近傍で矢印Ｂの如く折曲し、更に、同図（ｃ）に示す如く、カバー体６上部６ａ先端部をランドセル本体３の底部１０側に矢印Ｃの如く折曲してカバー体６上部６ａで車輪４，４を被覆し、カバー体６の面ファスナー８，８…を底部１０の面ファスナー１１，１１…に係着させてカバー体６上部６ａ先端部を底部１０に保持させる。
【００１６】
前述の如く、カバー体６上部６ａを折曲することにより、肩ベルト２，２は露出してベルトとして利用可能になり、一方、車輪４，４は被覆される。
この状態で前記ランドセル兼用キャリーバッグ１はランドセルとして利用可能である。この時、車輪４，４はカバー体６によって被覆されているので、車輪４，４が利用者に直接接触することはない。
【００１７】
更に、この状態から、キャリーバッグとして利用可能に変更するためには、カバー体６の面ファスナー８，８…を底部１０の面ファスナー１１，１１…から取り外して、前記カバー体６の上部６ａ先端部を前記底部６から取り外し、前述と反対方向にカバー体６を折曲し、カバー体６の上部６ａによって、ランドセル本体３の肩ベルト２，２を被覆して収納し、カバー体６の裏面に設けられた面ファスナー９，９…と、ランドセル本体３の背部７に設けられた面ファスナー１２，１２…とを係着させることにより、カバー体６の上部６ａを背部７の上部に保持させ、更に、ランドセル本体３の上部から把手部材５を上方に引き出して、最上位位置でロックする。
【００１８】
斯くして、本発明のランドセル兼用キャリーバッグ１は、キャリーバッグとしても利用できると共に、ランドセルとして利用できる。即ち、前述したように、ランドセルは、ものを容易に且つ確実に携帯できると共に、両手が自由になる、或いは、背中を伸ばした姿勢で持つことができる等の利点があり、一方、キャリーバッグは、比較的重いものを持ち上げることなく容易に運搬できる利点があることから、運搬するものの重さや、その他の理由によって、使い分けることができる。
【００１９】
特に、学童にとって、ランドセルで背負うには負担が大きい重量物等の場合、ランドセル兼用キャリーバッグ１をキャリーバッグとして利用することにより重量物を容易に運搬することができ、学童の負担を軽減できる。
【００２０】
又、学童が犯罪や、災害等の切迫した危険な状況に遭遇した場合に於いて、ランドセルは、学童がランドセルを放棄して避難しなければならない時に、背中から下ろすのに手間取り、逃げ遅れる虞があり、又、犯罪者からランドセルを捕捉され、学童がランドセルを背負ったまま拘束されて避難できなくなる虞があるが、前記ランドセル兼用キャリーバッグ１をキャリーバッグとして利用していた場合は、キャリーバッグは把手５ａを離すだけで、手放すことができ、迅速な避難が可能となる。
【００２１】
更に、ランドセルとして利用する場合に於いて、前記カバー体６によって車輪４，４を覆うことにより、車輪４，４が、利用者に接触することはなく、利用者が車輪４，４によって傷つけられたり、汚されたりすることがない。
更に又、キャリーバッグとして利用する場合に於いて、前記カバー体６によって肩ベルト２，２を覆うことにより、肩ベルト２，２が収納され、肩ベルト２，２がキャリーバッグの走行の邪魔になることはない。
【００２２】
そして、前記面ファスナー８，８…、９，９…、１１，１１…、１２，１２…によってカバー体６の係着及び取り外しが容易であると共に、前記車輪４，４又は前記肩ベルト２，２の被覆が容易となり、ランドセル又はキャリーバッグへの利用変更が容易である。
又、前記ランドセル兼用キャリーバッグ１は、構成が簡素であり、製作コストも安価であるという利点がある。
【００２３】
図３は前記ランドセル兼用キャリーバッグ（図１に於いて１）の変形例のランドセル兼用キャリーバッグ２１を示し、ランドセル兼用キャリーバッグ２１は、前記ランドセル兼用キャリーバッグ（図１に於いて１）の略コ字状の把手部材（図１に於いて５）に代えて、把手２２ａと一本の脚部２２ｂから成る略Ｔ字状の把手部材２２を設けたものである。尚、図に於いて、２３は車輪４，４と共に、ランドセル本体３の底部１０を支持する脚体である。
【００２４】
この様に、利用者の利用に合わせて、前記略Ｔ字状の把手部材２２を設けることも可能であり、更に、他の、把手部材を設けることも可能である。前記ランドセル兼用キャリーバッグ２１に於いても、前記ランドセル兼用キャリーバッグ１と同様の作用、効果が期待できる。
【００２５】
尚、前記ランドセル兼用キャリーバッグ１にも前記ランドセル兼用キャリーバッグ２１に設けた前記脚体２３を取付けることができる。
【図面の簡単な説明】
【００２６】
【図１】本発明によるランドセル兼用キャリーバッグの斜視図である。
【図２】（ａ）〜（ｃ）本発明によるランドセル兼用キャリーバッグをキャリーバッグからランドセルに変更する状態を説明する説明図である。
【図３】本発明による変形例のランドセル兼用キャリーバッグの斜視図である。
【符号の説明】
【００２７】
１，２１  ランドセル兼用キャリーバッグ
２  肩ベルト
３  ランドセル本体
４  車輪
５，２２  把手部材
６  カバー体
６ａ  上部
６ｂ  下部
８，９，１１，１２  面ファスナー
１０  底部
１０  背部
【図１】
2007202840.tif 000003
【図２】
2007202840.tif 000004
【図３】
2007202840.tif 000005